(57)【要約】【課題】  従来の圧力タンクの構造では、送水管からの送水量が多い場合、状の水受部からいきおいよく飛散した水に圧力タンク内の空気が巻き込まれ、その水と一緒に圧力タンク内の空気が吐出口から圧力タンク内に排出されてしまう問題点があった。【解決手段】  圧力タンク内に配設した送水管を、圧力タンクの中心から側面側にずらして配設するとともに、送水管の一部を屈曲させ送水管の下端面を圧力タンク側面に近接させる。【選択図】  図１
2005113751.tif 000002
【特許請求の範囲】
【請求項１】
圧力タンクと、この圧力タンク上に設けた電動機の回転軸がケーシング内に設けられた羽根車を回転させてポンプ作用を行うポンプ部と、このポンプ部の吐出口側に設けた気水分離室と、この気水分離室から吐出水を圧力タンク内に吐出するために圧力タンク上に垂下配置してなる吐出管と、この吐出管に接続され圧力タンク内に配設する送水管を設けたポンプ装置において、
前記送水管の一部を屈曲させた管としたことを特徴とするポンプ装置。
【請求項２】
請求項1のポンプ装置において、
前記送水管の下端面を圧力タンク側面に近接させたこと特徴とするポンプ装置。
【請求項３】
請求項１または２のポンプ装置において、
前記送水管の下端面を圧力タンクの吐出口が構成されない方向に向けたことを特徴とするポンプ装置。
【請求項４】
請求項1乃至３のいずれかのポンプ装置において、
前記送水管の下端面を水平としたことを特徴とするポンプ装置。
【発明の詳細な説明】
【技術分野】
【０００１】
本発明は、家庭用の井戸ポンプに関するものである。
【背景技術】
【０００２】
従来のポンプ装置は、特許文献１の第１図に示すように、ポンプ１から下方に伸びた送水管６の下端を圧力タンク９内へ臨ませ、送水管６の下端直下と吐出口10との間に半円筒状の邪魔板51を設けるようにしている。
【０００３】
また、圧力タンク内に送水された水をカップ状の水受部で受けることにより、水に混在している空気を分離するようにしたものが知られている。
【０００４】
【特許文献１】特公平07-009232号公報（第２頁右欄第２３〜５０行、第５図）
【発明の開示】
【発明が解決しようとする課題】
【０００５】
一般に、ポンプ装置では、第5図に示すように、送水管６の下端が水面より上方に位置した状態にて、ポンプ１を回転させて送水管６より水を吐出すると、圧力タンク９内の空気が送水管６より吐き出される水に巻き込まれて、空気水面下に至る。
【０００６】
近年ポンプ装置は、小型軽量コンパクトが主流となっており、ポンプ装置の半分以上の体積を締める圧力タンク9の小型化が課題となっている。また、生活環境の変化に伴いポンプ装置の大水量化も進んでいる。
したがって、特許文献１に示す圧力タンクの構造では、小型・軽量コンパクト化が図れず、送水管の下端が水面より上方に位置した状態では、送水管からの送水量が多い場合、状の水受部からいきおいよく飛散した水に圧力タンク内の空気が巻き込まれ、その水と一緒に圧力タンク内の空気が吐出口から圧力タンク内に排出されてしまう問題点があった。
本発明の目的は、簡単な構成で、圧力タンク内の空気残留を確実なものとすることである。
【課題を解決するための手段】
【０００７】
上記目的を達成するために本発明の特徴とするところは、圧力タンクと、この圧力タンク上に設けた電動機の回転軸がケーシング内に設けられた羽根車を回転させてポンプ作用を行うポンプ部と、このポンプ部の吐出口側に設けた気水分離室と、この気水分離室から吐出水を圧力タンク内に吐出するために圧力タンク上に垂下配置してなる吐出管と、この吐出管に接続され圧力タンク内に配設する送水管を設けたポンプ装置において、前記送水管の一部を屈曲させた管としたことにある。
【発明の効果】
【０００８】
本発明によれば、圧力タンク内に送られた水は一部屈曲し下端面を圧力タンク側面に近接させた送水管を通ることで、圧力タンク側面側に流下される。流下された水は圧力タンク側面をつたうように流れタンク内に渦が発生する。
【０００９】
また、本発明によれば、発生した渦の遠心力によりタンク側面側の水位は、タンク中心の水位より上がり、空気を巻き込まなくなり圧力タンク内の空気が吐出口から流出することはほとんどなくなる。
【００１０】
さらに本発明によれば、圧力タンクに半円筒状の板を設けないので圧力タンクを安価にすることが出来る。
【発明を実施するための最良の形態】
【００１１】
本発明は、圧力タンクと、この圧力タンク上に設けた電動機の回転軸がケーシング内に設けられた羽根車を回転させてポンプ作用を行うポンプ部と、このポンプ部の吐出口側に設けた気水分離室と、この気水分離室から吐出水を圧力タンク内に吐出するために圧力タンク上に垂下配置してなる吐出管と、この吐出管に接続され圧力タンク内に配設する送水管を設けたポンプ装置において、前記送水管の一部を屈曲させた管としたことを特徴とするものである。
【実施例１】
【００１２】
以下本発明の一実施例を図面に基づいて説明する。
【００１３】
図1に基づき全体構成について説明する。圧力タンク9上面に、電動機（図示せず）の回転軸がケーシング30内に設けられた羽根車（図示せず）を回転させてポンプ作用を行うポンプ部１を構成する。圧力タンク9上面には圧力スイッチ20を設けている。ポンプ部1の吸い込み側として吸込口２を具備する。揚水した水の逆流防止を図る為、逆止弁３を吸込口２とポンプ部1の間に設ける。
【００１４】
自吸時の気水分離を行う為、分離室４をポンプ部1の吐き出し側に構成する。分離室4から圧力タンク9をつなぐ為、吐出管５および送水管６が設けられている。自動空気補給装置７は、吐出管５に設けられている。ポンプ部１の吸い込み側と連通菅8により連通させる。圧力タンク９は、その側面下部の３箇所に吐出口10,11,12が設けられている。この実施例では、吐出口11,12は蓋13で塞がれている。圧力タンク９の下面は、圧力タンク９の上面に向かって突出させた曲面としてある。送水菅6は、圧力タンク9の内部に設置され、一部屈曲し下端面６ａは、圧力タンク9側面に近接している。
【００１５】
次にポンプ装置の動作について説明する。圧力タンク９の側面下部に設けられた吐出口10,11,12のいずれかに配管された水洗（図示せず）により水を使用すると、圧力タンク9内部の圧力が低下し、圧力スイッチ20が閉（ＯＮ）となる。これによりポンプ部1は起動し揚水を開始する。揚水された水は、吸込口2、逆止弁3をとおり、分離室4、吐出管５、送水管６を通り圧力タンク内に送水される。
ポンプ装置1の揚水量が水の使用量より多い場合は、圧力タンク9内に水が蓄水されることで圧力タンク内9の空気が圧縮され圧力が上昇し、定めら圧力に達すると圧力スイッチ20が開（ＯＦＦ）となりポンプ装置1が停止する。自動空気補給装置7はポンプ装置1起動時に大気から空気を取り込み、ポンプ装置1停止時に空気を圧力タンク9に補空する。
【００１６】
次に本発明について図2、図3、図4にて説明する。本実施例では、送水管6を屈曲させ、下端面6ａを圧力タンク9側面に近接させたことにより、揚水した水は圧力タンク9内面をつたいながら流れ、圧力タンク9内に渦100が発生する。発生する渦100の遠心力により、圧力タンク9中心部より圧力タンク9側面部の水位がｈだけ上昇する。これにより吐出口10,11,12から水面までの距離が確保でき、図4に示す様に、従来例に比べ大幅に空気の巻き込みを防止することが出来る。従来のポンプ装置は図5に示す様に邪魔板51が設けてあるが、揚水される水の勢いで、圧力タンク9上面方向に水が飛び散り、空気を巻き込みやすかった。本実施例では、圧力タンク9内の空気が減少することで、圧力スイッチ20の頻繁な起動停止を抑えることが出来る。
【図面の簡単な説明】
【００１７】
【図１】本発明のポンプ装置である。
【図２】本発明のポンプ装置である。
【図３】圧力タンク断面図である。
【図４】従来例と本発明の比較図である。
【図５】従来例のポンプ装置である。
【符号の説明】
【００１８】
１…ポンプ装置、２…吸込口、３…逆止弁、４…気水分離室、５…吐出管
６…送水管、6ａ…端面、７…自動空気補給装置、８…連通管、９…圧力タンク
１０，１１，１２…吐出口、１３…蓋、２０…圧力スイッチ、３０…ケーシング、１００…渦
【図１】
2005113751.tif 000003
【図２】
2005113751.tif 000004
【図３】
2005113751.tif 000005
【図４】
2005113751.tif 000006
【図５】
2005113751.tif 000007